(57)【要約】      （修正有）【課題】本体部に格納された巻回体を本体部から取り出す際に蓋板が障害となることを抑制可能とした巻回体収納箱、および、巻回体入り収納箱を提供する。【解決手段】本体底板１２、本体前板１３、および、本体覆板１４を備える本体部１０と、本体底板１２において開口部とつながる端辺である底板後辺１２Ｂを回転軸として底板後辺１２Ｂに回転可能に連接されて開口部を覆う後板２５と、後板２５の頂辺である後板頂辺２５Ｔを回転軸として後板頂辺２５Ｔに回転可能に連接されて本体覆板１４を覆う蓋板２１とを備える。【選択図】図２
2018131213.tif 000002
【特許請求の範囲】
【請求項１】
薄膜状の長尺物が巻かれた巻回体を収納する直方体形状を有した本体部であって、前記巻回体が収納されたときに前記巻回体の軸線と平行になる４つの長方形面のうちの１つで開口した後面開口部と、前記後面開口部と対向する前記長方形面である前板と、前記前板と直交する２つの前記長方形面のうちの一方を構成する底板と、前記底板と対向する前記長方形面を構成する覆板と、を有する本体部と、
前記底板において前記後面開口部とつながる端辺である底板後辺を回転軸として前記底板後辺に回転可能に連接されて前記後面開口部を覆う後板と、
前記後板の頂辺である後板頂辺を回転軸として前記後板頂辺に回転可能に連接されて前記覆板を覆う蓋板と、を備える
巻回体収納箱。
【請求項２】
前記本体部は、前記底板および前記前板と直交する脇板を備え、
前記脇板または前記覆板のいずれか一方は、係止部を備え、
前記後板は、前記後板が前記前板と対向している状態で前記係止部と係合する被係止部を備え、
前記後板は、前記係止部と前記被係止部との係合によって前記脇板に位置決めされ、前記係止部と前記被係止部との係合の解除によって回転可能となる
請求項１に記載の巻回体収納箱。
【請求項３】
前記本体部は、前記底板および前記前板と直交する脇板を備え、
前記底板は、前記前板の底辺から前記底板後辺まで延在する端辺である底板側辺を備え、
前記後板は、前記底板から前記後板頂辺まで延在する端辺である後板側辺を備え、
前記後板側辺に連接され、かつ、前記後板側辺を折り曲げ線として前記脇板に沿って前記後板から折り曲げられた後板片をさらに備え、
前記後板片は、前記後板が前記前板と対向する状態において前記本体部の内側で前記脇板と対向し、かつ、前記脇板と対向する状態において、前記底板側辺と前記後板側辺とが形成する角度を中心角とする扇形状を有する
請求項１に記載の巻回体収納箱。
【請求項４】
前記本体部は、前記底板および前記前板と直交する脇板を備え、
前記後板は、前記底板から前記後板頂辺まで延在する端辺である後板側辺を備え、
前記前板は、前記底板から前記前板の頂辺まで延在する端辺である前板側辺を備え、
前記覆板は、前記前板から前記後面開口部に向けて延在する端辺である覆板側辺を備え、
前記前板側辺に連接されて前記前板側辺を折り曲げ線として前記脇板に沿って前記前板から折り曲げられた前板片と、
前記覆板側辺に連接されて前記覆板側辺を折り曲げ線として前記脇板に沿って前記覆板から折り曲げられた覆板片と、
前記後板側辺に連接され、かつ、前記後板側辺を折り曲げ線として前記脇板に沿って前記後板から折り曲げられた後板片とをさらに備え、
前記脇板と対向する方向から見て、前記前板片と前記覆板片とが、前記本体部の内側で前記脇板と重なる位置で、前記前板片と前記覆板片と前記脇板とが接合され、前記前板と前記後板とが対向する状態において、前記後板片と前記脇板とが対向する
請求項１に記載の巻回体収納箱。
【請求項５】
前記蓋板における前記前板寄りの端部に位置し、引き出された前記長尺物を切断するための切断刃と、
前記蓋板が前記覆板を覆う状態において、前記後面開口部よりも前記前板寄りであって、かつ、前記覆板のなかで前記切断刃と対向する位置よりも前記後板寄りに位置し、前記長尺物を係止するためのニスとをさらに備える
請求項１から４のいずれか一項に記載の巻回体収納箱。
【請求項６】
前記蓋板は、前記蓋板が前記覆板を覆う状態で前記前板の頂辺と対向する蓋板前辺を備え、
前記蓋板前辺に連接されて前記蓋板前辺を折り曲げ線として前記前板に沿って前記蓋板から折り曲げられ、前記蓋板が前記覆板を覆う状態において、前記前板の一部を覆う掩蓋板と、
前記掩蓋板における前記底板寄りの端部に位置し、引き出された前記長尺物を切断するための切断刃と、
前記掩蓋板が前記前板の一部を覆う状態において、前記前板のなかで前記切断刃と対向する位置よりも前記蓋板寄りに位置し、前記長尺物を係止するためのニスとをさらに備える
請求項１から４のいずれか一項に記載の巻回体収納箱。
【請求項７】
薄膜状の長尺物が巻かれた巻回体と、
請求項１から請求項６のいずれか一項に記載の巻回体収納箱とを備える
巻回体入り収納箱。
【発明の詳細な説明】
【技術分野】
【０００１】
本発明は、本体部の開口部を閉じる覆板とその覆板を覆う蓋板とを備える巻回体収納箱、および、巻回体入り収納箱に関する。
【背景技術】
【０００２】
食品などの包装に用いられるラップフィルムは、ラップフィルムがロール状に巻かれた巻回体として巻回体収納箱に収納される。巻回体収納箱は、開口部を上部として有した直方体形状の本体部を備える。本体部が備える後板は、開口部と交わる頂辺である後板頂辺を備える。開口部を閉じるための蓋板は、この後板頂辺を回転軸として後板頂辺に回転可能に連接されている。この類の巻回体収納箱では、ラップフィルムを開口部から引き出す作業が行われる際に巻回体が本体部から飛び出すことを抑える構成が提案されている。
【０００３】
例えば、巻回体が本体部から飛び出すことを抑えるための巻回体収納箱は、本体部が備える前板の頂辺である前板頂辺に、回転可能に連接された覆板を備える。この覆板は、巻回体から引き出されるラップフィルムを通過させるための引き出し口を備える。そして、開口部が覆板によって覆われた状態で、引き出し口を通じてラップフィルムが本体部から引き出され、これによって、巻回体が本体部から飛び出すことが抑えられる（例えば、特許文献１を参照）。この覆板の他の例として、覆板は本体部から分離可能に構成され、ラップフィルムがはじめて引き出される前には、本体部から分離された状態の覆板に対して、その覆板の引き出し口にラップフィルムが通される。そして、ラップフィルムが引き出し口に通された状態の覆板が本体部に再びセットされ、以降の引き出しにおいては、巻回体の飛び出しを抑える機能をこの覆板が発現する（例えば、特許文献２を参照）。
【先行技術文献】
【特許文献】
【０００４】
【特許文献１】特開２０１４−１９４８３号公報
【特許文献２】特開２００９−２９２５０８号公報
【発明の概要】
【発明が解決しようとする課題】
【０００５】
ところで、上述した覆板を備える巻回体収納箱では、覆板の引き出し口にラップフィルムが通るため、ラップフィルムを使い始める前には、まず、本体部の開口部に対して覆板を開ける作業と、本体部に収納されている巻回体を本体部から一度取り出す作業とが行われる。そして、本体部の開口部に対して覆板を開ける作業においては、後板頂辺を回転軸として一方の手で蓋板を回転させる作業、および、蓋板の位置を回転後の位置に保ちながら、前板頂辺を回転軸として他方の手で覆板を回転させる作業が行われる。あるいは、後板頂辺を回転軸として一方の手で蓋板を回転させる作業、および、蓋板の位置を回転後の位置に保ちながら、他方の手で本体部から覆板を分離させる作業が行われる。このように、両方の手によって蓋板と覆板とを回転させる煩雑な作業を強いられる結果、上述した巻回体収容箱では、巻回体を本体部から取り出すことを困難とする構成となっている。
【０００６】
本発明は、上述の課題に鑑み、本体部に格納された巻回体を本体部から取り出す際の作業性を向上可能とした巻回体収納箱、および、巻回体入り収納箱を提供することを目的とする。
【課題を解決するための手段】
【０００７】
上記課題を解決するための巻回体収納箱は、薄膜状の長尺物が巻かれた巻回体を収納する直方体形状を有した本体部であって、前記巻回体が収納されたときに前記巻回体の軸線と平行になる４つの長方形面のうちの１つで開口した後面開口部と、前記後面開口部と対向する前記長方形面である前板と、前記前板と直交する２つの前記長方形面のうちの一方を構成する底板と、前記底板と対向する前記長方形面を構成する覆板と、を有する本体部を備える。また、巻回体収納箱は、前記底板において前記後面開口部とつながる頂辺である底板後辺を回転軸として前記底板後辺に回転可能に連接されて前記後面開口部を覆う後板とを備える。そして、巻回体収納箱は、前記後板の頂辺である後板頂辺を回転軸として前記後板頂辺に回転可能に連接されて前記覆板を覆う蓋板を備える。
【０００８】
上記構成によれば、覆板を覆う蓋板と、後面開口部を覆う後板とが、本体部に半巻された蓋部として機能する。そして、巻回体を本体部から一度取り出す作業においては、蓋板の回転と後板の回転とが、蓋部の半巻きを解くという一連の作業となるため、その作業性を高めることが可能となる。
【０００９】
上記巻回体収納箱において、前記本体部は、前記底板および前記前板と直交する脇板を備え、前記脇板または前記覆板のいずれか一方は、係止部を備え、前記後板は、前記後板が前記前板と対向している状態で前記係止部と係合する被係止部を備え、前記後板は、前記係止部と前記被係止部との係合によって前記脇板に位置決めされ、前記係止部と前記被係止部との係合の解除によって回転可能となる構成であってもよい。
【００１０】
上記構成によれば、係止部と被係止部との係合によって、脇板に対する後板の位置が決められる。そのため、後板が回転することと、後板と前板とが対向する状態において本体部が形状を保つこととの両立を図ることが可能となる。
【００１１】
上記巻回体収納箱において、前記本体部は、前記底板および前記前板と直交する脇板を備え、前記底板は、前記前板の底辺から前記底板後辺まで延在する端辺である底板側辺を備え、前記後板は、前記底板から前記後板頂辺まで延在する端辺である後板側辺を備え、前記後板側辺に連接され、かつ、前記後板側辺を折り曲げ線として前記脇板に沿って前記後板から折り曲げられた後板片をさらに備えてもよい。そして、前記後板片は、前記後板が前記前板と対向する状態において前記本体部の内側で前記脇板と対向し、かつ、前記脇板と対向する状態において、前記底板側辺と前記後板側辺とが形成する角度を中心角とする扇形状を有してもよい。
【００１２】
上記構成によれば、後板の回転と共に回転可能に構成された後板片を後板が備え、その後板片が、底板側辺と後板側辺とが形成する角度を中心角とする扇形状を有する。そのため、後板と前板とが対向する状態においては、後板と底板との形成する角度を後板片の有する中心角に保ちやすくなる。ひいては、後板が回転することと、後板と前板とが対向する状態において本体部が形状を保つこととの両立を図ることが可能となる。
【００１３】
上記巻回体収納箱において、前記本体部は、前記底板および前記前板と直交する脇板を備え、前記後板は、前記底板から前記後板頂辺まで延在する端辺である後板側辺を備え、前記前板は、前記底板から前記前板の頂辺まで延在する端辺である前板側辺を備え、前記覆板は、前記前板から前記後面開口部に向けて延在する端辺である覆板側辺を備え、前記前板側辺に連接されて前記前板側辺を折り曲げ線として前記脇板に沿って前記前板から折り曲げられた前板片と、前記覆板側辺に連接されて前記覆板側辺を折り曲げ線として前記脇板に沿って前記覆板から折り曲げられた覆板片と、前記後板側辺に連接され、かつ、前記後板側辺を折り曲げ線として前記脇板に沿って前記後板から折り曲げられた後板片とをさらに備えてもよい。そして、前記脇板と対向する方向から見て、前記前板片と前記覆板片とが、前記本体部の内側で前記脇板と重なる位置で、前記前板片と前記覆板片と前記脇板とが接合され、前記前板と前記後板とが対向する状態において、前記後板片と前記脇板とが対向する。
【００１４】
上記構成によれば、本体部の内側において、前板片と覆板片と脇板とが接合され、かつ、後板片が脇板と対向するように配置されるため、脇板を含む本体部の端部において機械的な強度を高めることが可能ともなる。
【００１５】
上記巻回体収納箱において、前記蓋板における前記前板寄りの端部に位置し、引き出された前記長尺物を切断するための切断刃と、前記蓋板が前記覆板を覆う状態において、前記後面開口部よりも前記前板寄りであって、かつ、前記覆板のなかで前記切断刃と対向する位置よりも前記後板寄りに位置し、前記長尺物を係止するためのニスとをさらに備えてもよい。
【００１６】
上記構成によれば、蓋板が覆板を覆う状態において、切断刃と後面開口部との間に、長尺物を係止するためのニスが位置する。そのため、本体部から一旦引き出された長尺物が本体部の内部に巻き戻ってしまうことを抑えることが可能ともなる。
【００１７】
上記巻回体収納箱において、前記蓋板は、前記蓋板が前記覆板を覆う状態で前記前板の頂辺と対向する蓋板前辺を備え、前記蓋板前辺に連接されて前記蓋板前辺を折り曲げ線として前記前板に沿って前記蓋板から折り曲げられ、前記蓋板が前記覆板を覆う状態において、前記前板の一部を覆う掩蓋板と、前記掩蓋板における前記底板寄りの端部に位置し、引き出された前記長尺物を切断するための切断刃と、前記掩蓋板が前記前板の一部を覆う状態において、前記前板のなかで前記切断刃と対向する位置よりも前記蓋板寄りに位置し、前記長尺物を係止するためのニスとをさらに備えてもよい。
【００１８】
上記構成によれば、掩蓋板が前板の一部を覆う状態において、切断刃と蓋板との間に、長尺物を係止するためのニスが位置する。そのため、本体部から一旦引き出された長尺物が本体部の内部に巻き戻ってしまうことを抑えることが可能ともなる。
上記課題を解決するための巻回体入り収納箱は、薄膜状の長尺物が巻かれた巻回体と、上述した巻回体収納箱とを備える。
【発明の効果】
【００１９】
本発明によれば、本体部に格納された巻回体を本体部から取り出す際にの作業性を向上することが可能となる。
【図面の簡単な説明】
【００２０】
【図１】巻回体入り収納箱の一実施形態における斜視構造であって、後面開口部が後板によって閉じられた状態を示す斜視図。
【図２】巻回体入り収納箱の一実施形態における斜視構造であって、後面開口部が後板によって開けられた状態を示す斜視図。
【図３】巻回体入り収納箱の側面構造を示す側面図であって、（ａ）から（ｅ）は、巻回体入り収納箱において蓋部が開けられる過程を示す図。
【図４】巻回体入り収納箱の変形例における係止部および被係止部を示す図。
【図５】巻回体入り収納箱の他の変形例における係止部および被係止部を示す図。
【図６】（ａ）から（ｄ）は、巻回体入り収納箱の他の変形例における脇板、前板片、覆板片、および、後板片の配置を示す図。
【発明を実施するための形態】
【００２１】
図１から図３を参照して、巻回体収納箱、および、巻回体入り収納箱を説明する。
【００２２】
図１が示すように、巻回体入り収納箱１００は、巻回体収納箱１と巻回体とを備える。巻回体収納箱１は、本体部１０と蓋部２０とを備える。巻回体収納箱１は、左右方向に延びる直方体形状を有する。本体部１０と蓋部２０とは、各々が有する機能の観点において相互に区別されているが、本体部１０と蓋部２０とは、切り出された１枚の原紙から組み立てられる。なお、図１が示す巻回体入り収納箱１００は、本体部１０が備える後面開口部１２Ｈを蓋部２０によって閉じられている。
【００２３】
薄膜状の長尺物の一例であるラップフィルム９１Ｆは、例えば、円筒形状を有した紙管に巻かれたロール状を有する巻回体である。本体部１０に収納される巻回体の軸線は、本体部１０の延在方向である左右方向に延在する。本体部１０を構成する各板は、ラップフィルム９１Ｆを収納できる大きさの空間を区画する大きさを有する。ラップフィルム９１Ｆの構成材料は、例えば、ポリ塩化ビニリデン、ポリエチレン、ポリ塩化ビニルなどである。
【００２４】
本体部１０は、巻回体を収納する直方体形状を有する。本体部１０は、本体部１０の底部である矩形板状を有した本体底板１２と、本体底板１２と対向する本体覆板１４と、これら本体底板１２と本体覆板１４とに連接された本体前板１３とを備える。本体底板１２と対向する本体覆板１４は、平面視において矩形枠状を有する。直方体形状を有する本体部１０は、巻回体の軸線と平行になる４つの長方形面のうちの１つで開口した後面開口部１２Ｈを有する。後面開口部１２Ｈは、本体前板１３と対向する。なお、以下の説明では、水平面に本体底板１２が当接するように巻回体収納箱１が配置された状態を基準として、水平面に対する本体覆板１４側を上側、本体覆板１４に対する水平面側を下側とする。
【００２５】
本体部１０は、左右一対の本体脇板１５を備える。本体前板１３の底辺、および、本体脇板１５の底辺は、本体底板１２の縁に連接されている。本体底板１２の後辺である底板後辺１２Ｂ、本体覆板１４の後辺１４Ｂ、および、本体脇板１５の後辺は、後面開口部１２Ｈを縁取る。本体底板１２、本体前板１３、および、本体覆板１４は、巻回体の軸線と平行になる長方形面を含む。
【００２６】
本体脇板１５は、本体部１０の外面の一部を含み、本体底板１２の底板側辺１２Ｅを折り曲げ軸として、本体底板１２から折り曲げられている。左右一対の本体脇板１５は、本体底板１２と直交する長方形面を含み、相互にほぼ同形の矩形板状を有し、左右方向にて相互に向かい合う。左右一対の本体脇板１５がほぼ同形の矩形板状を有するとは、本体部１０が区画する空間が巻回体の回転を妨げない範囲で差異を有することを含むことを意味している。
【００２７】
本体覆板１４は、本体底板１２とほぼ同形の矩形状を有する。本体覆板１４が本体底板１２とほぼ同形の矩形状を有するとは、本体前板１３の厚さ、後板２５の厚さ、および、本体脇板１５の厚さ、これらの厚さだけ、本体覆板１４が本体底板１２よりも小さことを含むことを意味している。
【００２８】
本体覆板１４は、ラップフィルム９１Ｆの通過可能な隙間を後板２５との間に形成する。本体覆板１４は、本体覆板１４と後板２５との間隙を通じたラップフィルム９１Ｆの利用と、巻回体が本体部１０から飛び出すことの抑制とを可能とする。
【００２９】
蓋部２０は、本体底板１２の後辺である底板後辺１２Ｂを回転軸として、底板後辺１２Ｂに回転可能に連接されている。底板後辺１２Ｂは、後面開口部１２Ｈを区画する端辺である。蓋部２０は、蓋板の一例である蓋板２１、掩蓋板２２、左右一対の蓋脇板２３、および、後板２５を備える。蓋板２１は、本体覆板１４とほぼ同形の矩形状を有する。蓋板２１が本体覆板１４とほぼ同形の矩形状を有するとは、掩蓋板２２の厚さ、蓋脇板２３の厚さ、および、後板２５の厚さ、これらの厚さだけ、蓋板２１が本体覆板１４よりも大きく、蓋部２０の回転を妨げない隙間が、本体部１０の外面と蓋部２０の内面との間に形成されることを含むことを意味している。
【００３０】
蓋部２０は、蓋板２１が本体覆板１４を覆い、かつ、後板２５が後面開口部１２Ｈを覆う状態である閉状態と、蓋板２１が本体覆板１４を覆わず、かつ、後板２５が後面開口部１２Ｈを覆わない状態である開状態とを有する。なお、図１は、閉状態から開状態へ遷移する過程における蓋部２０を示す。
【００３１】
掩蓋板２２は、蓋板２１の蓋板前辺２１Ｆを一辺とする板状を有する。掩蓋板２２は、蓋部２０が閉状態であるときに、本体前板１３の上部を覆う形状を有する。掩蓋板２２は、上下方向の幅が左右方向の中央部にて最も大きい五角形状を有し、掩蓋板２２の下端辺は、Ｖ字形状を有する。掩蓋板２２は、蓋部２０が閉状態であるときに、巻回体から引き出されたラップフィルム９１Ｆを、本体前板１３と掩蓋板２２との間で挟むことができる大きさを有する。
【００３２】
蓋脇板２３は、蓋板２１の側辺２１Ｅを一辺とする板状を有する。蓋脇板２３は、蓋部２０が閉状態であるときに、本体脇板１５の上部を覆う形状を有する。掩蓋板２２は、蓋脇板２３の内面に連接された掩蓋フラップ２２Ｆを備える。
【００３３】
切断刃２４は、鋸刃状に並ぶ複数の刃先を有した板状の刃である。切断刃２４は、掩蓋板２２の下端辺に沿ったＶ字形状を有する。切断刃２４は、掩蓋板２２の内面のうち、掩蓋板２２の下端辺を含む部分に取り付けられる。切断刃２４の刃先は、掩蓋板２２の下端から突き出る。切断刃２４を構成する材料は、例えば、樹脂製であってもよいし、金属製であってもよい。なお、巻回体収納箱１からラップフィルム９１Ｆが引き出されるとき、切断刃２４の刃先は、掩蓋板２２から露出していればよい。巻回体収納箱１が保管されるときや運搬されるとき、切断刃２４の刃先は他の部材によって覆われていてもよい。
【００３４】
図２が示すように、本体底板１２における後辺は、後板２５とつながる端辺である底板後辺１２Ｂである。後板２５は、この底板後辺１２Ｂを回転軸として、底板後辺１２Ｂに回転可能に連接されている。後板２５は、本体前板１３とほぼ同形の矩形状を有する。後板２５が本体前板１３とほぼ同形の矩形状を有するとは、本体覆板１４の厚さだけ、後板２５が本体前板１３よりも大きく、蓋部２０の回転を妨げない隙間が、本体覆板１４の外面と蓋部２０の内面との間に形成されることを含むことを意味している。後板２５は、後面開口部１２Ｈを閉じる状態である閉状態と、後面開口部１２Ｈを開ける状態である開状態とを有する。そして、ラップフィルム９１Ｆの利用に先駆けて、巻回体を本体部１０から一度取り出す作業においては、底板後辺１２Ｂを回転軸として後板２５が回転することが可能である。すなわち、後板２５が覆っていた後面開口部１２Ｈを開けることが可能となる。
【００３５】
後板２５における左右方向の端辺は、後板側辺２５Ｅである。後板２５には、この後板側辺２５Ｅを折り曲げ線として、本体脇板１５の内面と対向可能な後板フラップ片２５Ｆが連接されている。後板フラップ片２５Ｆは、後板片の一例である。後板フラップ片２５Ｆは、後板側辺２５Ｅに連接されている。後板フラップ片２５Ｆは、後板側辺２５Ｅを折り曲げ線として、本体脇板１５の内面に沿って後板２５から折り曲げられている。後板フラップ片２５Ｆは、後板２５が閉状態であるとき、後板フラップ片２５Ｆの全体が本体脇板１５と対向する形状を有する。
【００３６】
本体底板１２における左右方向の端辺は、底板側辺１２Ｅである。底板側辺１２Ｅは、本体前板１３から底板後辺１２Ｂまで前後方向に延在する。先に説明した後板側辺２５Ｅは、底板後辺１２Ｂから後板頂辺２５Ｔまで上下方向に延在する端辺である。後板フラップ片２５Ｆは、後板側辺２５Ｅを一辺とする扇形状を有する。後板フラップ片２５Ｆは、底板側辺１２Ｅ、および、後板側辺２５Ｅのうち、短い方の端辺を半径とする。例えば、底板側辺１２Ｅ、および、後板側辺２５Ｅのうち、短い方の端辺が後板側辺２５Ｅである場合、後板フラップ片２５Ｆは、後板側辺２５Ｅを半径とする扇形状を有する。後板フラップ片２５Ｆは、後板フラップ片２５Ｆが本体脇板１５と対向するとき、すなわち、後板２５が閉状態であるとき、本体脇板１５と対向する方向から見て、底板側辺１２Ｅと後板側辺２５Ｅとが形成する角度を中心角θとする。
【００３７】
中心角θを形成する後板フラップ片２５Ｆの一辺は、後板側辺２５Ｅとして機能する。本体前板１３と後板２５とが互いに対向するとき、すなわち、後板２５が閉状態であるとき、中心角θを形成する後板フラップ片２５Ｆの他辺であるフラップ辺２５Ｋは、底板側辺１２Ｅに当接、あるいは、近接する。こうした後板フラップ片２５Ｆの構成によれば、後板２５と本体底板１２とが形成する角度を、後板フラップ片２５Ｆの有する中心角θに保ちやすくなる。結果として、後板２５が回転すること、および、後板２５が閉状態であるときに本体部１０が形状を保つこと、これらの両立を図ることが可能となる。
【００３８】
図３（ａ）が示すように、本体覆板１４は、蓋部２０の蓋板２１によって覆われている。すなわち、蓋部２０は、閉状態である。この状態から、巻回体入り収納箱１００において巻回体が取り出されるとき、例えば、本体部１０が右手によって支えられ、かつ、蓋板２１が左手によって回転させられる。これによって、図３（ｂ）が示すように、まず、掩蓋板２２が上方に向けて持ち上げられると共に、蓋板２１が後板頂辺２５Ｔを回転軸として回転を開始する。図３（ｃ）が示すように、後板頂辺２５Ｔを回転軸とする蓋部２０の回転は、後板２５と蓋板２１とがほぼ同一の平面上に並ぶように進む。そして、本体覆板１４を覆っていた蓋板２１は、本体覆板１４の全体を露出させ、また、本体脇板１５の上部を覆っていた蓋脇板２３は、本体脇板１５の全体を露出させる。
【００３９】
図３（ｄ）が示すように、本体脇板１５の全体が露出した後に、蓋部２０の後板２５が後方に向けて倒されると、底板後辺１２Ｂを回転軸として後板２５が回転する。これによって、図３（ｅ）が示すように、後板フラップ片２５Ｆの全体が、本体脇板１５とは重ならない位置まで回転し、後面開口部１２Ｈを覆っていた後板２５は、後面開口部１２Ｈの全体を開放する。結果として、本体部１０のなかで後板２５によって覆われていた後面開口部１２Ｈが開くことによって、巻回体を本体部１０から取り出すことが可能となる。この際、本体覆板１４を覆う蓋板２１と、後面開口部１２Ｈを覆う後板２５とが、本体部１０に半巻された蓋部２０として機能する。そして、巻回体を本体部１０から一度取り出す作業においては、蓋板２１の回転と、後板２５の回転とが、蓋部２０の半巻きを解くという一連の作業となるため、その作業性を高めることが可能となる。
【００４０】
以上、上記実施形態によれば、以下に列挙する効果が得られる。
（１）本体覆板１４と後板２５との間隙を通じたラップフィルム９１Ｆの利用と、巻回体が本体部１０から飛び出すことの抑制とが本体覆板１４によって可能となる。
【００４１】
（２）巻回体を本体部１０から取り出す作業においては、後板頂辺２５Ｔを回転軸とした蓋板２１の回転と、底板後辺１２Ｂを回転軸とした後板２５の回転とが、一連の動作となるため、巻回体を本体部１０から取り出すことの作業性を高めることが可能となる。また、本体覆板１４と後板２５との間隙からラップフィルム９１Ｆを引き出す構成であれば、こうした巻回体の取り出し作業と、ラップフィルム９１Ｆを引き出す作業とが一連の作業となるため、ラップフィルム９１Ｆを引き出す観点においても作業性を高めることが可能となる。なお、本体覆板１４と後板２５との間隙からラップフィルム９１Ｆを引き出す構成であれば、本体覆板１４と後板２５との間隙と、切断刃２４との間の距離が、本体覆板１４によって確保される。そのため、切断後のラップフィルム９１Ｆの先端が隙間に入り込み、それによって、ラップフィルム９１Ｆを引き出せなくなってしまうという不都合が発生する頻度を大幅に低減することが可能ともなる。
【００４２】
（３）後板２５が閉状態であるとき、扇形状を有した後板フラップ片２５Ｆのフラップ辺２５Ｋが底板側辺１２Ｅに当接、あるいは、近接する。結果として、底板後辺１２Ｂを回転軸として後板２５を回転可能に構成する一方で、後板２５が閉状態であるときには、本体部１０が有する形状の安定性を得ることが可能ともなる。
【００４３】
なお、上記実施形態は、以下のように変更して実施することも可能である。
［係止構造］
・図４が示すように、本体脇板１５は、本体脇板１５の外表面に係止部１５Ａを備え、後板２５は、後板２５が閉状態であるときに係止部１５Ａと係合する被係止部２５Ａを備えることも可能である。係止部１５Ａは、例えば、本体脇板１５の外表面において突き出た突部であり、被係止部２５Ａは、例えば、係止部１５Ａが嵌る凹部を備えた片である。この際、後板２５は、係止部１５Ａと被係止部２５Ａとの係合によって本体脇板１５に位置決めされる。また、後板２５は、係止部１５Ａと被係止部２５Ａとの係合の解除によって、底板後辺１２Ｂを回転軸として回転する。なお、後板２５が後板フラップ片２５Ｆを備え、被係止部２５Ａの位置を後板フラップ片２５Ｆとすることも可能である。
【００４４】
・図５が示すように、本体覆板１４は、係止部１４Ｈを備え、後板２５は、後板２５が閉状態であるときに係止部１４Ｈと係合する被係止部２５Ａを備えることも可能である。係止部１４Ｈは、例えば、本体覆板１４を貫通する孔であり、被係止部２５Ａは、例えば、係止部１４Ｈに嵌る突片である。この際、後板２５は、係止部１４Ｈと被係止部２５Ａとの係合によって本体覆板１４、ひいては、本体脇板１５に位置決めされる。また、後板２５は、係止部１４Ｈと被係止部２５Ａとの係合の解除によって、底板後辺１２Ｂを回転軸として回転する。
【００４５】
・後板２５の内側面は、本体脇板１５に対する後板２５の貼り着けと、本体脇板１５に対する後板２５の引き剥がしとを可能に構成された粘着シールを備えることも可能である。また、後板フラップ片２５Ｆの外側面が、本体脇板１５に対する後板２５の貼り着けと、本体脇板１５に対する後板２５の引き剥がしとを可能に構成された粘着シールを備えることも可能である。こうした粘着シールを備える構成であっても、後板２５と本体脇板１５との係合と、その係合の解除とを実現することは可能である。
【００４６】
（４）上記変形例によれば、係止部１５Ａと被係止部２５Ａとの係合によって、本体脇板１５に対する後板２５の位置が決められる。そのため、底板後辺１２Ｂを回転軸として後板２５が回転可能である一方で、後板２５が閉状態であるときには、本体部１０が有する形状の安定性を高めることが可能ともなる。
【００４７】
・なお、扇形状を有した後板フラップ片２５Ｆの半径を、本体覆板１４と本体底板１２の距離よりも若干大きくし、それによって、後板２５が閉状態であるときに、後板フラップ片２５Ｆの上端が本体覆板１４を上方へ押圧し、かつ、後板フラップ片２５Ｆの下端が本体底板１２を押圧する構成とすることも可能である。こうした構成においても、上記（４）に準じた効果として、本体脇板１５に対する後板２５の位置決めを実現することが可能でもある。
【００４８】
［フラップ片］
・図６が示すように、本体底板１２が底板フラップ片１２Ｆを備え、本体前板１３が前板フラップ片１３Ｆを備え、かつ、本体覆板１４が覆板フラップ片１４Ｆを備える構成とすることも可能である。そして、これら底板フラップ片１２Ｆ、前板フラップ片１３Ｆ、および、覆板フラップ片１４Ｆによって、本体脇板１５が構成される。図６（ａ）から（ｄ）は、底板フラップ片１２Ｆ、前板フラップ片１３Ｆ、覆板フラップ片１４Ｆ、および、後板フラップ片２５Ｆの並びの順を説明する図であって、本体部１０の外表面を構成する本体脇板１５から順に、１つずつフラップ片を切り欠いて示す図である。
【００４９】
図６（ａ）が示すように、底板フラップ片１２Ｆは、底板側辺１２Ｅを折り曲げ線として、底板側辺１２Ｅから上方に向けて折り曲げられ、本体脇板１５の外表面を構成する。本体前板１３は、本体底板１２の前端から前板頂辺１３Ｔまで上下方向に延在する端辺である前板側辺１３Ｅを備える。本体前板１３は、前板側辺１３Ｅに連接される前板フラップ片１３Ｆを底板フラップ片１２Ｆの内側に備える。前板フラップ片１３Ｆは、前板側辺１３Ｅを折り曲げ線として底板フラップ片１２Ｆに沿って本体前板１３から折り曲げられている。
【００５０】
図６（ｂ）が示すように、本体覆板１４は、本体前板１３の上端から後板２５に向けて前後方向に延在する端辺である覆板側辺１４Ｅを備える。本体覆板１４は、前板フラップ片１３Ｆの内側に覆板フラップ片１４Ｆを備える。覆板フラップ片１４Ｆは、覆板側辺１４Ｅに連接されると共に、覆板側辺１４Ｅを折り曲げ線として、底板フラップ片１２Ｆに沿って本体覆板１４から折り曲げられている。前板フラップ片１３Ｆと覆板フラップ片１４Ｆとは、底板フラップ片１２Ｆの内面と接着される接着部Ｈを備える。
【００５１】
図６（ｃ）が示すように、覆板フラップ片１４Ｆの内側には、後板フラップ片２５Ｆが位置している。図６（ｄ）が示すように、後板フラップ片２５Ｆは、例えば、後板側辺２５Ｅを半径とする扇形状を有する。
以上のように、後板２５が閉状態において、本体脇板１５と対向する方向から見て、前板フラップ片１３Ｆ、覆板フラップ片１４Ｆ、および、後板フラップ片２５Ｆが、本体部１０の内側で本体脇板１５と重なる位置に配置される。そして、底板フラップ片１２Ｆから、前板フラップ片１３Ｆ、覆板フラップ片１４Ｆ、後板フラップ片２５Ｆの順に、これらが並ぶ。
【００５２】
（５）上記変形例によれば、後板２５の回線を円滑に進めることが可能であり、かつ、後板２５が閉状態であるときには、本体部１０が有する形状の安定性を高めることが可能ともなる。
【００５３】
［係止ニス］
・蓋部２０が閉状態であるとき、本体前板１３の外表面のなかで、切断刃２４と対向する位置よりも蓋板２１寄りに、ラップフィルム９１Ｆを係止するためのニスをさらに備えることも可能である。ラップフィルム９１Ｆを係止するためのニスは、本体前板１３の左右方向の全体にわたり点在することも可能であり、本体前板１３の左右方向の一部に位置することも可能である。
【００５４】
（６）上記変形例によれば、掩蓋板２２が本体前板１３の一部を覆う状態において、切断刃２４と蓋板２１との間に、ラップフィルム９１Ｆを係止するためのニスが位置する。そのため、本体覆板１４と後板２５との間隙から一旦引き出されたラップフィルム９１Ｆが本体部１０の内部に巻き戻ってしまうことを抑えることが可能ともなる。
【００５５】
・ラップフィルム９１Ｆを係止するためのニスは、本体覆板１４の外表面に位置することも可能である。この際、ラップフィルム９１Ｆを係止するためのニスは、本体覆板１４の左右方向全体にわたり点在することも可能であり、本体覆板１４の左右方向の一部に位置することも可能である。こうした構成においても、上記（５）に準じた効果を得ることは可能である。
【００５６】
［切断刃］
・掩蓋板２２が割愛される構成においては、蓋板２１における本体前板１３寄りの端部に、切断刃２４が位置することも可能である。この際、本体覆板１４の外表面に上述したニスをさらに備えることも可能である。この変形例においても、上記（５）に準じた効果を得ることは可能である。
【００５７】
特に、蓋部２０が閉状態であるときに、本体前板１３の上方に切断刃２４が位置する構成であれば、切断刃２４に加わる上下方向の負荷を本体前板１３によって受けることが可能ともなる。本体覆板１４と後板２５との間隙から引き出されたラップフィルム９１Ｆを切断する際、蓋板２１と本体覆板１４とによって、そのラップフィルム９１Ｆが挟持される。ラップフィルム９１Ｆを挟むための力は、切断刃２４に加わる上下方向の負荷でもある。そして、本体前板１３の上方に切断刃２４が位置する構成であれば、こうした負荷を本体前板１３が受けるため、ラップフィルム９１Ｆを切断する過程において切断刃２４が変形することを抑えることが可能ともなる。
【００５８】
・本体覆板１４と後板２５との間隙においてラップフィルム９１Ｆと接触する部位は、ラップフィルム９１Ｆを保護するための保護構造をさらに備えることも可能である。
ラップフィルム９１Ｆを保護するための保護構造は、保護構造とラップフィルム９１Ｆとの接触によってラップフィルム９１Ｆが傷を受けない程度に、緩やかな曲率を有した曲面構造とすることも可能である。こうした曲面構造は、例えば、二つ折りにされた原紙の折り目に具体化することが可能である。また、ラップフィルム９１Ｆを保護するための保護構造は、ラップフィルム９１Ｆに対する滑りを他の部位よりも高めるためのニスなどが塗布された滑り構造とすることも可能である。さらには、上述した曲面構造と、滑り構造との組み合わせによって、保護構造を実現することも可能である。
【００５９】
［その他］
・各本体脇板１５は、本体底板１２とは連接せず、本体前板１３と連接することも可能である。この際、各本体脇板１５の内面に連接するフラップ片は、本体底板１２に連接する。
・前板フラップ片１３Ｆ、および、後板フラップ片２５Ｆの少なくとも一方が割愛されることも可能である。
【００６０】
・巻回体収納箱１は、例えば、本体底板１２と本体前板１３とによって構成される角部が面取りされた形状とすることも可能であり、また、本体前板１３と本体覆板１４とによって構成される角部が面取りされた形状とすることも可能である。すなわち、巻回体収納箱１は、それを構成する各角部のなかの少なくとも１つを面取りされた形状とすることも可能である。
【００６１】
・巻回体収納箱１において、例えば、本体前板１３を、前方に突き出る曲板状とすることも可能であり、また、本体覆板１４を、上方に突き出る曲板状とすることも可能である。すなわち、巻回体収納箱１は、それを構成する各板のなかの少なくとも１つを曲板状とすることも可能である。
・巻回体を構成する長尺物は、アルミ箔や紙などに変更することも可能である。
【００６２】
・掩蓋板２２の下端は、左右方向に延在する直線状とすることも可能であって、本体前板１３の一部を覆う要請がない場合には、蓋部２０から掩蓋板２２を割愛することも可能である。切断刃２４もまた、左右方向に延在する直線状とすることも可能である。
【００６３】
・本体前板１３と後板２５とは、互いに平行な板状に限らず、各々を含む平面が互いに交差する板状を有することも可能である。また、各本体脇板１５も同じく、互いに平行な板状に限らず、各々を含む平面が互いに交差する板状を有することも可能である。
【符号の説明】
【００６４】
θ      中心角
１３Ｈ  接着部
１      巻回体収納箱
１０    本体部
１２    本体底板
１２Ｂ  底板後辺
１２Ｅ  底板側辺
１２Ｆ  底板フラップ片
１３    本体前板
１３Ｅ  前板側辺
１３Ｆ  前板フラップ片
１３Ｔ  前板頂辺
１４    本体覆板
１４Ｅ  覆板側辺
１４Ｆ  覆板フラップ片
１５    本体脇板
１５Ａ  係止部
２０    蓋部
２１    蓋板
２１Ｅ  側辺
２１Ｆ  蓋板前辺
２２    掩蓋板
２２Ｆ  掩蓋フラップ
２３    蓋脇板
２４    切断刃
２５    後板
２５Ａ  被係止部
２５Ａ１  被係合窪み
２５Ｅ  後板側辺
２５Ｆ  後板フラップ片
２５Ｔ  後板頂辺
９１Ｆ  ラップフィルム
１００  巻回体入り収納箱
【図１】
2018131213.tif 000003
【図２】
2018131213.tif 000004
【図３】
2018131213.tif 000005
【図４】
2018131213.tif 000006
【図５】
2018131213.tif 000007
【図６】
2018131213.tif 000008